【事件の表示】
　特願２０００−１４８２８９「ミシンの糸通し装置」拒絶査定不服審判事件〔平成１３年１１月２７日出願公開、特開２００１−３２７７８７〕について、次のとおり審決する。
【結　論】
　本件審判の請求は、成り立たない。
【理　由】
　１．手続の経緯
　本願は、平成１２年５月１９日の出願であって、平成２０年１２月９日付けで拒絶査定がなされ、これに対し、平成２１年１月１５日付けで拒絶査定不服審判の請求がなされ、平成２１年２月１３日付けで明細書を対象とする手続補正がなされたものである。
　
　２．本願発明
　平成２１年２月１３日付けの手続補正により、補正された明細書及び図面の記載からみて、本願の請求項１ないし４に係る発明は、その特許請求の範囲の請求項１ないし４に記載された事項によって特定されるとおりのものと認める。その請求項２の記載は、次のとおりである。（以下、請求項２に係る発明を「本願発明２」という。）
「【請求項２】針が装着された針棒を上下方向に移動自在に軸支する針棒支持枠本体と、該針棒支持枠本体に上下方向に摺動自在に軸支され常時上方に弾発支持された軸部と、該軸部に略直交して装着したガイドピンと前記軸部の下端に固着された揺動板とフックからなる糸通し具と、前記軸部に設けた前記ガイドピンを挿通し、前記針棒支持枠本体に固定され、且つ前記軸部の上下方向の移動に従い前記軸部を軸中心に回動させる角度変移溝と該角度変移溝の下端で前記ガイドピンを装着した前記軸部を水平方向に回動するようにして前記フックが針孔に挿通するセット溝を含むガイド溝を有する固定板と、該固定板に固定された案内軸に摺動自在に上下方向に移動する前記ガイド溝に沿って上下方向の移動に従って前記ガイドピンを水平方向に案内する長孔部を有する可動部と、該可動部を前記固定板に固着された案内軸に沿って上下方向に移動させる操作レバー部とからなることを特徴とするミシンの糸通し装置。」
　
　３．引用例の記載事項
　原査定の拒絶の理由に引用された、本願の出願前に頒布された刊行物である実願昭６０−５６１３１号（実開昭６１−１７４５８４号）のマイクロフィルム（以下、「引用例」という。）には、次の記載がある。
　ａ「この考案はミシン、特にジグザグミシンの糸通し装置に関するものである。」（明細書１頁１５〜１６行）
　ｂ「この考案に依れば、ジグザグミシンの糸通し装置は、鈎部を有した糸通し片が下端に取付けられたスライド軸とこのスライド軸を案内する案内軸を位置決め板と一体的に組付けて上下動および回動可能に設けると共に案内軸が遊嵌する取付板の挿入孔を中心に揺動可能に設け、糸通し片を針孔に挿入できる位置にて案内軸の一端が取付板に取付けられている。」（明細書３頁１６行〜４頁３行）
　ｃ「図面の第１図にはこの考案の糸通し装置がジグザグミシンに取付けられた状態を示しており、同図に示される様に、ジグザグミシンにおいてはジグザグ模様成形のために針２９が取付けられた針棒４が左右に揺動するようになつており、従つて針２９の針孔２９ａに糸を通す場合には針２９が布を貫通する位置、すなわち針落ち、は針板３０の針孔３０ａの左寄り、中央および右寄りのどの様な位置も取り得るようになつている。従つて、どの様な針落ちにても糸通しができることが必要である。　このために、この考案の糸通し装置は第１図に示される様に取付板３を介してジグザグミシンの針棒揺動腕４０に組合わされた上部針棒メタル１と、アーム頭部３１に組込まれた下部針棒メタル２とによつて保持される構造とすることによつて常に針棒４の揺動に対応できるようになつている。」（明細書４頁８行〜５頁５行）
　ｄ「図面の第２図乃至第７図に詳しく示される様に、この考案の糸通し装置は鈎部１５ａを有する糸通し片１５と、糸通し片１５が下端に取付けられるスライド軸６と、スライド軸６を案内する案内軸５と、スライド軸６および案内軸５と一体的に組付けられ針２９の針孔２９ａに対する糸通し片１５の鈎部１５ａの位置決めをする位置決め板７と、スライド軸６を上下動する引き出しレバー２４とから主に構成されている。」（明細書５頁６〜１４行）
　ｅ「針２９の針孔２９ａに対する糸通し片１５の鈎部１５ａの位置決めを行うための引き出しレバー２４は上端に二叉部２４ａを、下端に指かけ部２４ｂを有し、固定板１９に取付けられた軸２３に沿つて垂直方向に上下動でき、下方に押圧されたときに、圧縮されたばね２６のばね力によつて元の位置に復元できるようになつている。上下動可能なこの引き出しレバー２４の上端の二叉部２４ａに回動板８が保持されるようになつており…」（明細書５頁１５行〜６頁４行）
　ｆ「鈎部１５ａを有する糸通し片１５が下端に設けられたスライド軸６は案内軸５に嵌挿され、案内軸５は位置決め板７の下部に設けられた円管部内径７ｂに嵌装され、回動板８は位置決め板７の下部円管部の外径７ｃを抱き、位置決め板７にねじ着された段ねじ９は回動板８の長孔８ｂに係止されている。スライド軸６に打込まれた固定ピン１３は案内軸５のカム溝５ａと回動板８のカム溝８ａに係止される。スライド軸６を嵌装した案内軸５は上端に二叉部５ａを有し、止ねじ１８によつて取付板３の上端の止ねじ孔３ｂに取付けられ、案内軸５が取付板３の下端の挿入孔３ｃに嵌装されている。従つて、案内軸５とスライド軸６が針棒揺動腕４０によつて左右に揺動できるようになつている。回動板８に段ねじ９および回動板戻しばね１０により取付けられた位置決め板７は上部に突出部７ａを有し、後述するようにスライド軸６と一緒に下降するときに、針棒４に止ねじ１７により上下位置調節自在に取付けられた制限腕１６に当接して係止されるようになつている。」（明細書６頁１０行〜７頁１０行）
　ｇ「回動板８は段ねじ９により位置決め板７に上下動自在にねじ着されており、位置決め板７に設けられた回動板用戻しばね１０により上方向に押圧されており、また止ねじ１１によつて固定ピン用戻しばね１２が位置決め板７に取付けられている。」（明細書７頁１１〜１６行）
　ｈ「固定板１９の位置決め溝１９ａに取付板３の下端の爪３ａを入れて回り止めとなし、針棒４の揺動に追従できるようになつている。また、糸通し装置は固定板１９に部組したユニツトとしてアーム頭部３１に止ねじ２７によつて組付けられる。」（明細書７頁２０行〜８頁５行）
　ｉ「この様に構成されたこの考案のジグザグミシンの糸通し装置においては、糸通し片１５の鈎部１５ａと針２９の針孔２９ａとの位置決めを先ず行うために、引き出しレバー２４の下端の指かけ部２４に指をかけて押し下げることによつて引き出しレバー２４の二叉部２４ａに挟持された回動板８を降下する。この回動板８を上方向に押圧している戻しばね１０は位置決め板７に取付けられているために回動板８と共に位置決め板７も下降し、位置決め板７の突出部７ａが針棒４の制限腕１６に当接して位置決め板７が停止される。また、回動板８のカム溝８ａに係止される固定ピン１３と一体であるスライド軸６も停止される。従つて、スライド軸６の下端には止ピン１４によつて取付けられた糸通し片１５の鈎部１５ａを針２９の針孔２９ａに対応する位置に停止させることができる。また、回動板８が引き出しレバー２４の二叉部２４ａに挟持され、回動板用戻しばね１０および固定ピン用戻しばね１２に抗して下降することによつて回動板８のカム溝８ａに係止されている固定ピン１３がスライド軸６の軸心を中心としてカム溝８ａに沿つて回動し、固定ピン１３が打込まれたスライド軸６を同軸心を中心として時計方向に回動することができ、従つていま針２９の針孔２９ａと同じ高さに位置する糸通し片１５の鈎部１５ａがスライド軸６の回転と共に針２９の針孔２９ａに飛び込み、上糸の供給を待つ状態となる。」（明細書８頁７行〜９頁１５行）
　ｊ「次いで、上糸の供給すなわち上糸のさそいが完了したならば、引き出しレバー２４を指先で押し下げている状態を解除することにより糸通し装置に作用する種々の戻しばね、先ず戻しばね１０によつて回動板８が上方に引き出しレバー２４と一緒に押し上げられることにより戻しばね１２と回動板８のカム溝８ａによりカム溝８ａに係止された固定ピン１３が打込まれたスライド軸６が反時計方向に戻り回転し、同時に戻しばね２８と戻しばね２６とによつて糸通し装置と引き出しレバー２４が元に戻されて第１図の収納位置に確保される。このときにスライド軸６の下端の糸通し片１５の鈎部１５ａがスライド軸６の反時計方向の戻り回転によつて針孔２９ａから引き抜かれ、鈎部２９ａに引つ掛けられた上糸が針２９の針孔２９ａに引き通される。」（明細書９頁１６行〜１０頁１２行）
　ｋ　第４図には、回動板８のカム溝８ａが弧状の長孔であることが図示され、また、糸通し片１５には、本体から延びる板状のものに鈎部１５ａが設けられていることが図示されている。
　ｌ　第６図には、案内軸５のカム溝５ａは、上下方向に延びながら、周方向に変位しており、また、カム溝５ａの下側端部は、水平で幅広になっていることが図示されている。
　
　４．引用発明
　以上の記載並びに図面によれば、引用例には、次の発明が記載されているといえる。（以下、「引用発明」という。）
「針２９が取り付けられた針棒４を、上部針棒メタル１とアーム頭部３１に組込まれた下部針棒メタル２とによって支持し、
　取付板３が、上部針棒メタル１と下部針棒メタル２に支持されており、
　案内軸５の上端の二叉部５ａが、止ねじ１８によって取付板３の上端の止ねじ孔３ｂに取付けられると共に、案内軸５の下端が、取付板３の下端の挿入孔３ｃに嵌装されており、
　スライド軸６が、上下動可能に案内軸５に嵌挿されており、
　スライド軸６を上下動する引き出しレバー２４は、軸２３に沿って垂直方向に上下動でき、下方に押圧されたときに、圧縮されたばね２６のばね力によって元の位置に復元できるようになっており、
　スライド軸６に打込まれた固定ピン１３は、案内軸５のカム溝５ａと回動板８のカム溝８ａに係止されており、
　案内軸５のカム溝５ａは、上下方向に延びながら、周方向に変位しており、かつ、カム溝５ａの下側端部は、水平で幅広になっており、
　回動板８のカム溝８ａが弧状の長孔であり、
　回動板８は、位置決め板７に上下動自在にねじ着されており、位置決め板７に設けられた回動板用戻しばね１０により上方向に押圧されており、また止ねじ１１によつて固定ピン用戻しばね１２が位置決め板７に取付けられており、
　スライド軸６の下端に取付けられた糸通し片１５は、板状物に設けられた鈎部１５ａを備えており、
　引き出しレバー２４の下端の指かけ部２４に指をかけて押し下げると、回動板８と共に位置決め板７が下降し、位置決め板７の突出部７ａが針棒４の制限腕１６に当接すると位置決め板７が停止して、回動板８のカム溝８ａに係止される固定ピン１３と一体であるスライド軸６も停止し、
　引き出しレバー２４がさらに下降することによって、回動板８が案内軸５に沿って下降し、回動板８のカム溝８ａに係止されている固定ピン１３がスライド軸６の軸心を中心としてカム溝８ａに沿って回動し、固定ピン１３が打込まれたスライド軸６を同軸心を中心として時計方向に回動して、糸通し片１５の鈎部１５ａがスライド軸６の回転と共に針２９の針孔２９ａに飛び込み、上糸の供給を待つ状態となる、
　ジグザグミシンの糸通し装置。」
　
　５．対比
（１）本願発明２と引用発明とを対比すると、引用発明が「針２９が取り付けられた針棒４を、上部針棒メタル１と下部針棒メタル２とによって支持」していることは、本願発明２が「針が装着された針棒を上下方向に移動自在に軸支する針棒支持枠本体」を備えていることに相当する。
（２）引用発明が「取付板３が、上部針棒メタル１と下部針棒メタル２に支持されており、案内軸５の上端の二叉部５ａが、止ねじ１８によって取付板３の上端の止ねじ孔３ｂに取付けられると共に、案内軸５の下端が、取付板３の下端の挿入孔３ｃに嵌装されており」「スライド軸６が、上下動可能に案内軸５に嵌挿されており、スライド軸６を上下動する引き出しレバー２４は、軸２３に沿って垂直方向に上下動でき、下方に押圧されたときに、圧縮されたばね２６のばね力によって元の位置に復元できるようになって」いることは、本願発明２が「針棒支持枠本体に上下方向に摺動自在に軸支され常時上方に弾発支持された軸部」を備えていることに相当する。
（３）引用発明の「スライド軸６」は、本願発明２の「軸部」に相当する。
（４）引用発明の「固定ピン１３」は、本願発明２の「ガイドピン」に相当する。
（５）引用発明が「スライド軸６の下端に取付けられた糸通し片１５は、板状物に設けられた鈎部１５ａ」を備えていることは、本願発明２が「軸部の下端に固着された揺動板とフックからなる糸通し具」を備えていることに相当する。
（６）引用発明が「案内軸５のカム溝５ａは、上下方向に延びながら、周方向に変位しており、かつ、カム溝５ａの下側端部は、水平で幅広になっており」「回動板８のカム溝８ａが弧状の長孔であり」「引き出しレバー２４の下端の指かけ部２４に指をかけて押し下げると、回動板８と共に位置決め板７が下降し、位置決め板７の突出部７ａが針棒４の制限腕１６に当接すると位置決め板７が停止して、回動板８のカム溝８ａに係止される固定ピン１３と一体であるスライド軸６も停止し」「引き出しレバー２４がさらに下降することによって、回動板８が案内軸５に沿って下降し、回動板８のカム溝８ａに係止されている固定ピン１３がスライド軸６の軸心を中心としてカム溝８ａに沿って回動し、固定ピン１３が打込まれたスライド軸６を同軸心を中心として時計方向に回動して、糸通し片１５の鈎部１５ａがスライド軸６の回転と共に針２９の針孔２９ａに飛び込み、上糸の供給を待つ状態となる」ことと、本願発明２が「軸部に設けた前記ガイドピンを挿通し、前記針棒支持枠本体に固定され、且つ前記軸部の上下方向の移動に従い前記軸部を軸中心に回動させる角度変移溝と該角度変移溝の下端で前記ガイドピンを装着した前記軸部を水平方向に回動するようにして前記フックが針孔に挿通するセット溝を含むガイド溝を有する固定板」を備えていることとは、引用発明の「案内軸５」と本願発明２の「固定板」とが共に針棒支持枠本体（上部針棒メタル１と下部針棒メタル２と取付板３）に対して固定された部材である限りにおいて相当する。
（７）引用発明が「スライド軸６に打込まれた固定ピン１３は、案内軸５のカム溝５ａと回動板８のカム溝８ａに係止されており」「案内軸５のカム溝５ａは、上下方向に延びながら、周方向に変位しており、かつ、カム溝５ａの下側端部は、水平で幅広になっており」「回動板８のカム溝８ａが弧状の長孔であり」「引き出しレバー２４の下端の指かけ部２４に指をかけて押し下げると、回動板８と共に位置決め板７が降下し、位置決め板７の突出部７ａが針棒４の制限腕１６に当接すると位置決め板７が停止して、回動板８のカム溝８ａに係止される固定ピン１３と一体であるスライド軸６も停止し」「引き出しレバー２４がさらに下降することによって、回動板８が案内軸５に沿って下降し、回動板８のカム溝８ａに係止されている固定ピン１３がスライド軸６の軸心を中心としてカム溝８ａに沿って回動し、固定ピン１３が打込まれたスライド軸６を同軸心を中心として時計方向に回動」するようになっていることは、本願発明２が「摺動自在に上下方向に移動する前記ガイド溝に沿って上下方向の移動に従って前記ガイドピンを水平方向に案内する長孔部を有する可動部」を備えていることに相当する。
（８）引用発明の「引き出しレバー２４」は、本願発明２の「可動部を」「上下方向に移動させる操作レバー部」に相当する。
（９）引用発明の「ジグザグミシンの糸通し装置」は、本願発明２の「ミシンの糸通し装置」に相当する。
　
　６．一致点、相違点
　そうすると、本願発明２と引用発明とは、本願発明２の記載に倣えば次の一致点で一致する。
　　《一致点》
「針が装着された針棒を上下方向に移動自在に軸支する針棒支持枠本体と、該針棒支持枠本体に上下方向に摺動自在に軸支され常時上方に弾発支持された軸部と、該軸部に装着したガイドピンと前記軸部の下端に固着された揺動板とフックからなる糸通し具と、前記軸部に設けた前記ガイドピンを挿通し、前記針棒支持枠本体に固定され、且つ前記軸部の上下方向の移動に従い前記軸部を軸中心に回動させる角度変移溝と該角度変移溝の下端で前記ガイドピンを装着した前記軸部を水平方向に回動するようにして前記フックが針孔に挿通するセット溝を含むガイド溝を有する固定された部材と、摺動自在に上下方向に移動すると共に前記ガイド溝に沿って上下方向の移動に従って前記ガイドピンを水平方向に案内する長孔部を有する可動部と、該可動部を上下方向に移動させる操作レバー部とからなることを特徴とするミシンの糸通し装置。」
　
　そして、両者は、次の相違点１ないし３で相違する。
　　《相違点１》
　本願発明２では、ガイドピンが軸部に略直交して装着されているのに対し、引用発明では、スライド軸６に対する固定ピン１３の角度が不明である点。
　　《相違点２》
　本願発明２では、ガイド溝が固定板に設けられているのに対し、引用発明では、カム溝５ａが案内軸５に設けられている点。
　　《相違点３》
　本願発明２では、固定板に固定（固着）された案内軸に沿って可動部を移動させるのに対し、引用発明では、案内軸５に沿って回動板８を移動させる点。
　
　７．相違点の検討
　相違点１について検討すると、軸部にピンを装着する場合、軸部に略直交して装着することが周知であり、かつ、通常の装着方法である。したがって、引用発明において、固定ピン１３をスライド軸６に略直交して打ち込み、相違点１に係る本願発明２の構成とすることは、当業者が容易に推考し得たことである。
　相違点２について検討すると、ガイド溝を板に設けるか、案内軸に設けるかは、当業者がその必要に応じて適宜決定すべき単なる設計的事項である。したがって、引用発明において、相違点２に係る本願発明２の構成とすることは、当業者が容易に推考し得たことである。
　相違点３について検討すると、可動部（回動板８）を軸部（スライド軸６）に沿って、すなわち、軸部に平行に移動させることが技術的に意義のある事項であり、その際のガイドを何にするかは、当業者がその必要に応じて適宜決定すべき単なる設計的事項である。したがって、引用発明において、相違点３に係る本願発明２の構成とすることは、当業者が容易に推考し得たことである。
　そして、本願発明２が奏する効果も、引用発明及び周知の事項から当業者が予測できたものであって、格別顕著なものとはいえない。
　
　８．むすび
　以上のとおりであって、本願発明２は、引用発明及び周知の事項から当業者が容易に発明し得たものであり、特許法第２９条第２項の規定により特許を受けることができないものであるから、他の請求項に係る発明について検討するまでもなく、本願は拒絶されるべきものである。
　よって、結論のとおり審決する。